(57)【要約】      （修正有）【課題】限られた展示台の載置面において、商品を多数展示できる折畳み可能な展示台を提供する。【解決手段】物品を陳列しうるように形成され、上下方向に沿って折りたたみ可能に形成された展示台１０であって、設置面１１上に設置しうる陳列台部１２と、上記陳列台部１２上方に延設された上方陳列台部１３とを有する。【選択図】図１
2006095228.tif 000002
【特許請求の範囲】
【請求項１】
物品を陳列しうるように形成され、上下方向に沿って折りたたみ可能に形成された展示台であって、設置面上に設置しうる陳列台部と、上記陳列台部上方に延設された上方陳列台部とを有することを特徴とする展示台。
【請求項２】
上記陳列台部および上記上方陳列台部は筒状に形成され、上記上方陳列台部は柱状支持部により上記陳列台部に延設されていることを特徴とする請求項１記載の展示台。
【請求項３】
上記上方陳列台部は短円筒状に形成されると共に上記柱状支持部は上記陳列台部の両端に一対に設けられ、これらの柱状支持部の間には貫通部が形成されていることを特徴とする請求項１及び２記載の展示台。
【請求項４】
上記陳列台部及び上方陳列台部は同一の平面多角形状に形成され、一つの対角線に沿って左右対称な状態で上下方向に沿って折りたたむことができるように形成されていることを特徴とする請求項１〜３記載の展示台。
【請求項５】
上記陳列台部及び上記上方陳列台部は平面六角形状に形成されていることを特徴とする請求項４記載の展示台。
【請求項６】
上記柱状支持部の内方には上下方向に沿って延設されたリブ部が形成されていることを特徴とする請求項３〜５記載の展示台。
【発明の詳細な説明】
【技術分野】
【０００１】
本発明は、展示台に係り、特に、展示物を載置可能な副台板部を有し、持ち運び時には折畳み可能な展示台に関する。
【背景技術】
【０００２】
従来、展示場や商店等において載置し、商品を展示する折畳み可能な展示台が存在する（特許文献１，特許文献２，特許文献３）。上記展示台は、筒状本体部と、上記筒状本体部上部において折曲可能に形成された台板部と、上記筒状本体部内方に設けられた中間壁部により形成されている。
【特許文献１】実開昭５７−８５２８２号
【特許文献２】実開昭５７−８５９７０号
【特許文献３】実開昭６０−１３５６号
【発明の開示】
【発明が解決しようとする課題】
【０００３】
ここで、特許文献１，特許文献２，特許文献３にかかる技術は、上記台板部は、上記筒状本体部上部にのみ設けられているため、商品等展示者は上記筒状本体部上部に設けられた台板部のみに商品を載置することが可能である。
したがって、一台の展示台においては商品等を載置することができる展示スペースが狭く、商品閲覧者に対し展示物の十分なアピールを行うことができなかった。
そこで、本発明が解決しようとする課題は、限られた展示台の載置面において、商品を多数展示できる折畳み可能な展示台の提供を図ることにある。
【課題を解決するための手段】
【０００４】
このような技術的課題解決のため、請求項１の記載の発明は、物品を陳列しうるように形成され、上下方向に沿って折りたたみ可能に形成された展示台１０であって、設置面１１上に設置しうる陳列台部１２と、上記陳列台部１２上方に延設された上方陳列台部１３とを有することを特徴とする。
したがって、請求項１記載の発明にあっては、上記展示台１０の使用時においては、上記展示台１０を設置面１１上に設置することにより、上記陳列台部１２上及び上記上方陳列台部１３上に物品を陳列することができる。
また、上記展示台１０の未使用時においては、上記展示台１０を上下方向に沿って折りたたむことができる。
【０００５】
請求項２記載の発明は、上記陳列台部１２および上記上方陳列台部１３は筒状に形成され、上記上方陳列台部１３は柱状支持部１４ａ，１４ｂ，１４ｃ，１４ｄにより上記陳列台部１２に延設されていることを特徴とする。
したがって、請求項２記載の発明にあっては、上記上方陳列台部１３は、上記柱状支持部１４ａ，１４ｂ，１４ｃ，１４ｄにより支持されている。
【０００６】
請求項３記載の発明は、上記上方陳列台部１３は短円筒状に形成されると共に上記柱状支持部１４ａ，１４ｂ，１４ｃ，１４ｄは上記陳列台部１２の両端に一対に設けられ、これらの柱状支持部１４ａ，１４ｂ，１４ｃ，１４ｄの間には貫通部１５が形成されていることを特徴とする。
したがって、請求項３記載の発明にあっては、上記柱状支持部１４ａ，１４ｂ，１４ｃ，１４ｄの間には貫通部１５が形成されていることから、上記陳列台部１２に陳列された物品を上記貫通部１５を介して裏側からも容易に視認することができる。
【０００７】
請求項４記載の発明にあっては、上記陳列台部１２及び上方陳列台部１３は同一の平面多角形状に形成され、一つの対角線３５，３６に沿って左右対称な状態で上下方向に沿って折りたたむことができるように形成されていることを特徴とする。
したがって、請求項４記載の発明にあっては、上記展示台１０の未使用時においては、上記対角線３５，３６に沿って容易に扁平状に折り畳むことができる。
【０００８】
請求項５記載の発明は、上記陳列台部１２及び上記上方陳列台部１３は平面六角形状に形成されていることを特徴とする。
従って、請求項５記載の発明にあっては、上記展示台１０の未使用時においては、上記六角形を形成する辺に沿って折曲されることにより、上記展示台１０を折りたたむことができる。
【０００９】
請求項６記載の発明にあっては、上記柱状上支持部１４ａ，１４ｂ，１４ｃ，１４ｄの内方には上下方向に沿って延設されたリブ部１６が形成されていることを特徴とする。
したがって、請求項６記載の発明にあっては、上記リブ部１６を支柱として上記展示台１０が支持され、上記展示台１０に商品等が載置された場合であっても、安定して上記展示台１０を使用することができる。
【発明の効果】
【００１０】
本発明は、上記のように構成されているので、以下の効果を奏する。
請求項１記載の発明によれば、上記陳列台部１２上方に延設された上方陳列台部１３に商品等を載置することが可能であるとともに、上記展示台１０の未使用時においては上記展示台１０を折り畳むことができ、持ち運び及び保管に便宜となる。
上記上方陳列台部１３は、上記陳列台部１２に延設されていることから、上記上方陳列台部１３を上記陳列台部１２と一体に成形することが可能となり、別途支持柱等を要しないことから、製造工程の簡略化及び製造コストの低減を図ることが可能となる。
【００１１】
請求項２記載の発明によれば、上記上方陳列台部１３は上記筒状の陳列台部１２及び、上記柱状支持部１４ａ，１４ｂ，１４ｃ，１４ｄにより保持されることにより、上記上方陳列台部１３に商品等展示物を載置した場合であっても、上記商品等を安定して保持することができる。
【００１２】
請求項３記載の発明によれば、上記柱状上支持部１４ａ，１４ｂ，１４ｃ，１４ｄの間には貫通部１５が形成されていることから、上記陳列台部１２上に載置された商品等展示物を表側からのみならず、上記貫通部１５を介して裏側からも容易に視認することが可能となり、上記商品閲覧者に対し上記陳列台部１２に載置された展示物を十分アピールすることが可能となる。
【００１３】
請求項４記載の発明によれば、上記陳列台部１２及び上方陳列台部１３は同一の平面多角形状に形成され、一つの対角線３５，３６に沿って左右対称な状態で上下方向に沿って折りたたむことができるように形成されていることから、上記展示台１０の未使用時においては、上記対角線３５，３６に沿って容易に扁平状に折り畳むことができ、折畳み時の上記展示台１０の厚さ寸法を小となることから、持ち運び及び保管に便宜となる。
【００１４】
請求項５記載の発明によれば、上記陳列台部１２及び上記上方陳列台１３は平面六角形状に形成されていることから、上記六角形を形成する辺に沿って折曲されることにより、上記展示台１０の折畳み作業が容易になるとともに、折畳み時における上記展示台１０の占有スペースを小とすることができ、持ち運び及び収納に便宜となる。
【００１５】
請求項６記載の発明によれば、上記柱上支持部１４ａ，１４ｂ，１４ｃ，１４ｄの内方には上下方向に沿ってリブ部１６が形成されていることから、上記リブ部１６を支柱として上記展示台１０が支持され、上記展示台１０に物品を陳列した場合であっても、安定して上記展示台１０を設置することが可能である。
【発明を実施するための最良の形態】
【００１６】
以下、添付図面に示す実施の形態に基づき、本発明にかかる展示台１０を詳細に説明する。
【００１７】
本実施の形態に係る展示台１０は、図１に示すように、物品を陳列しうるように形成され、上下方向に沿って折りたたみ可能に形成された展示台１０であって、設置面１１上に設置しうる陳列台部１２と、上記陳列台部１２上方に延設された上方陳列台部１３とを有する。
また、上記陳列台部１２および上方陳列台部１３は筒状に形成され、上記上方陳列台部１３は柱状支持部１４ａ，１４ｂ，１４ｃ，１４ｄにより上記陳列台部１２に延設されている。
また、上記上方陳列台部１３は短円筒状に形成されると共に上記柱状支持部１４ａ，１４ｂ，１４ｃ，１４ｄは上記陳列台部１２の両端に一対に設けられ、これらの上記柱状支持部１４ａ，１４ｂ，１４ｃ，１４ｄの間には貫通部１５が形成されている。
また、上記陳列台部１２及び上方陳列台部１３は同一の平面多角形状に形成され、一つの対角線に沿って左右対称な状態で上下方向に沿って折りたたむことができるように形成されている。
また、上記陳列台部１２及び上記上方陳列台部１３は平面六角形状に形成されている。
また、上記柱状支持部１４ａ，１４ｂ，１４ｃ，１４ｄの内方には上下方向に沿ってリブ１６が形成されている。
【実施例】
【００１８】
本実施例に係る展示台１０は、図１に示すように、陳列台部１２及び上方陳列台部１３に物品を載置することにより、上記商品を展示することができると共に、上記展示台１０の未使用時には、折り畳むことにより、収納及び持ち運びに便宜な展示台１０として用いられる。
【００１９】
図１に示すように、上記展示台１０は、設置面１１上に設置しうる陳列台部１２と、上記陳列台部１２上方に延設された上方陳列台部１３により形成されている。
【００２０】
図１、図３に示すように、上記陳列台部１２は、横方向幅広板状に形成された対向する一対の壁板部２３ａ，２３ｂと、上記壁板部２３ａ、２３ｂの両側方において折曲可能に形成された２枚の板状の側方壁板部２４ａ，２４ｂ及び２４ｃ，２４ｄにより一体に形成され、横断面幅広六角形状に形成されている。
【００２１】
図１、図３に示すように、上記上方陳列台部１３は、上記陳列台部１２の両端に設けられた上記柱状支持部１４ａ，１４ｂ，１４ｃ，１４ｄにより、上記陳列台部１２上方に延設されている。
上記柱状支持部１４ａ，１４ｂ，１４ｃ，１４ｄは、上記側方壁板部２４ａ，２４ｂ，２４ｃ，２４ｄに一体に連接され、上記側方壁板部２４ａ，２４ｂ，２４ｃ，２４ｄの幅寸法の略半分の幅寸法に形成され、上記側方壁板部２４ａ、２４ｂ間及び上記側方壁板部２４ｃ，２４ｄ間において横断面形状Ｖ字型に形成され、上記側方壁板部２４ａ，２４ｂ及び２４ｃ，２４ｄの上方に一体に延設されている。
上記側方壁板部２４ａ，２４ｂ間及び上記側方壁板部２４ｃ，２４ｄにより上記展示台１０の外方に向かって凸状形成される断面Ｖ字型の凸辺部２７ａ，２７ｂが形成されている。
【００２２】
図１に示すように、上記上方陳列台部１３は、横方向幅広板状に形成された対向する一対の壁板部２５ａ，２５ｂと、上記壁板部２５ａ，２５ｂの両側方において、上記壁板部２５ａ，２５ｂ間において形成された２枚の板状の側方壁板部２６ａ、２６ｂ，２６ｃ，２６ｄにより一体に形成され、横断面幅広六角形状に形成されている。
【００２３】
図１に示すように、上記陳列台部１２の両端に設けられた上記柱状支持部１４ａ，１４ｂ，１４ｃ，１４ｄの内方にはリブ部１６が設けられている。上記リブ部１６は平板状に形成され、上記展示台１０の上下方向に沿って、上記陳列台部１２と上記上方陳列台部１３の内方を上記設置面１１から上記上方陳列台部まで一体に連通して設けられている。
上記リブ部１６は、上記柱状支持部１４ａ，１４ｂ間及び上記柱状支持部１４ｃ，１４ｄ間により形成された凸辺部２７ａ，２７ｂ間に沿って設けられている。
【００２４】
図１に示すように、上記陳列台部１２の上部の内側面には、上記陳列台部１２の長さ方向と直交方向に配設され、上記陳列台部１２の横断面形状と略同形状に形成された略六角形の陳列面部１７が設けられている。
図４に示すように、上記陳列面部１７は、平板台形状に形成された略同形状の２枚の折曲板部２０ａ，２０ｂを有し、上記台形状の折曲板部２０ａ，２０ｂの下底部同士が折曲可能に接合されることにより、上記折曲板部２０ａ，２０ｂの全体形状が幅広六角形状に形成されている。
【００２５】
図４に示すように、上記台形状の折曲板部２０ａ，２０ｂの上底部には、上記上底部と略同寸法の長さ寸法を有する接合片部２８ａ，２８ｂが折曲可能に接合され、上記接合片部２８ａ，２８ｂは、上記陳列台部１２の上部の内側面において、下方に折曲された状態で上記側板部２３ａ、２３ｂの内側面に対し固定されている。
【００２６】
図４に示すように、上記台形状の折曲板部２０ａ，２０ｂの下底部には、上記下底部と略同寸法の長さ寸法を有し、陳列台部１２の高さ方向に沿って配設された接合片部２９ａ，２９ｂが折曲可能に接合され、上記接合片部２９ａ，２９ｂは、上記陳列台部１２の上部の内側面において、下方に折曲された状態で、上記リブ部１６に対し固定されている。
【００２７】
図１に示すように、上記陳列台部１２の上端部には、側壁部３０が形成されている。上記陳列台部１２上に物品が載置された場合、上記展示台１０が風などにより不意に揺れ動いた場合であっても、上記物品が上記側壁部３０に当接されることにより、上記陳列台部１２上からの物品の落下を防止することが可能となる。
【００２８】
図１に示すように、上記上方陳列台部１３の上部の内側面には、上記上方陳列台部１３の長さ方向と直交方向に配設され、上記上方陳列台部１３の横断面形状と略同形状に形成された略六角形の陳列面部３１が設けられている。
図４に示すように、上記陳列面部３１は、平板台形状に形成された略同形状の２枚の折曲板部３２ａ，３２ｂを有し、上記台形状の折曲板部３２ａ，３２ｂの下底部同士が折曲可能に接合されることにより、上記折曲板部３２ａ，３２ｂの全体形状が幅広六角形状に形成されている。
【００２９】
図４に示すように、上記台形状の折曲板部３２ａ，３２ｂの上底部には、上記上底部と略同寸法の長さ寸法を有する接合片部３３ａ，３３ｂが折曲可能に接合され、上記接合片部３３ａ，３３ｂは、上記上方陳列台部１３の上部の内側面において、下方に折曲された状態で上記側板部２５ａ，２５ｂの内側面に対し固定されている。
【００３０】
図４に示すように、上記台形状の折曲板部３２ａ，３２ｂの下底部は、上記リブ部１６上端部において、上方に折曲可能に一体に連設されている。
【００３１】
図１に示すように、上記上方陳列台部１３の上端部には側壁部３４が形成されている。上記上方陳列台部１３上に物品が載置された場合、上記展示台１０が風などにより不意に揺れ動いた場合であっても、上記物品が上記側壁部３４に当接されることにより、上記上方陳列台部１３上からの物品の落下を防止することが可能となる。
【００３２】
図２に示すように、上記陳列台部１２及び上記上方陳列台部１３は、同一の幅広平面六角形の筒状体に形成され、上記六角形により、夫々形成される一つの対角線３５，３６に沿って左右対称な状態で上下方向に沿って折りたたむことができるように形成されている。
図１に示すように、上記陳列台部１２に設けられた陳列面部１７は、上記台形状の折曲板部２０ａ，２０ｂの下底部同士が折曲可能に接合されることにより、上記陳列面部１７が幅広平面六角形に形成され、上記台形状の折曲板部２０ａ，２０ｂ係合間において一対の対角線３５が形成されている。
上記上方陳列台部１３に設けられた陳列面部３１は、上記台形状の折曲板部３２ａ，３２ｂの下底部同士が折曲可能に接合されることにより、上記陳列面部３１が幅広平面六角形に形成され、上記台形状の折曲板部３２ａ，３２ｂ係合間において一対の対角線３６が形成されている。
図２に示すように、上記陳列面部１７上、及び上記上方陳列面部３１上に形成された対角線３５、３６を上方へ持ち上げることにより、上記展示台１０を上方に沿って折り畳むことが可能となる。
【００３３】
本実施例においては、図１に示すように、上記陳列面部３１の中央部には、指などを挿入し、上記陳列面部３１に指を係合させることにより、上記陳列面部３１を上方に支持しうる孔部３７が設けられている。
上記孔部３７を介して上記陳列面部３１を上方に持ち上げることにより、上記陳列面部３１と一体となって連接されたリブ部１６が上方へ持ち上げられ、上記リブ部１６に係合された上記陳列面部１７が上方へ持ち上げられ、上記陳列面部３１及び上記陳列面部１７が上記対角線３５，３６が上方に折曲されることにより上方へ折り畳まれている。
【００３４】
図１に示すように、上記陳列台部１２と上記柱状支持部１４ａ，１４ｂ，１４ｃ，１４ｄにより上方に延設された上方陳列台部１３間において略四角形状に形成された空隙部４２が設けられている。
上記空隙部４２の幅寸法は、上記柱状支持部１４ａ，１４ｂ，１４ｃ，１４ｄの幅寸法により異なり、本実施例においては、上記柱状支持部１４ａ，１４ｂ，１４ｃ，１４ｄ幅寸法は、上記側方壁板部２４ａ，２４ｂ，２４ｃ，２４ｄの略半分の幅寸法に形成されている。
【００３５】
上記柱状支持部１４ａ，１４ｂ，１４ｃ，１４ｄの幅寸法を小とすることにより、上記空隙部４２の幅寸法を大とすることができ、上記陳列台部１２上に陳列された物品が上記展示台１０の正面方向からのみならず、上記展示台１０の側方からも見うるため、陳列された商品の視認性が向上され、商品閲覧者に対し展示物の十分なアピールを行うことができる。
上記柱状支持部１４ａ，１４ｂ，１４ｃ，１４ｄの幅寸法を大とすることにより、上記空隙部４２の幅寸法は小となるが、上記柱状支持部１４ａ，１４ｂ，１４ｃ，１４ｄの強度が向上することから、上記展示台１０全体として強固な構造とすることができ、上記上方陳列台部１３に比較的重量物を陳列した場合であっても、安定して上記物品の陳列を行うことができる。
【００３６】
図１に示すように、上記柱状支持部１４ａ，１４ｂと上記柱状支持部１４ｃ，１４ｄの間には貫通部１５が形成されている。
上記貫通部１５は、上記柱状支持部１４ａ，１４ｂ，１４ｃ，１４ｄ間に設けられたリブ部１６の中央部に形成されている。
【００３７】
図３、図４に示すように、上記陳列台部１２の下部１８の内側面には、上記陳列台部１２の長さ方向と直交方向に配設され、上記陳列台部１２の横断面形状と略同形状に形成された略六角形の支持板部１９が設けられている。
図３、図４に示すように、上記支持板部１９は、平板台形状に形成された略同形状の２枚の折曲板部３９ａ，３９ｂを有し、上記台形状の折曲板部３９ａ，３９ｂの下底部同士が折曲可能に接合されることにより、上記折曲板部３９ａ，３９ｂの全体形状が幅広六角形状に形成されている。
【００３８】
図３、図４に示すように、上記台形状の折曲板部３９ａ，３９ｂの上底部には、上記上底部と略同寸法の長さ寸法を有する接合片部４０ａ，４０ｂが折曲可能に接合され、上記接合片部４０ａ，４０ｂは、上記陳列台部１２の下部１８の内側面において、下方に折曲された状態で上記側板部２３ａ、２３ｂの内側面に対し固定されている。
【００３９】
図４に示すように、上記台形状の折曲板部３９ａ，３９ｂの下底部には、上記下底部と略同寸法の長さ寸法を有する接合片部４１ａ，４１ｂが折曲可能に接合され、上記接合片部４１ａ，４１ｂは、上記陳列台部１２の下部１８の内側面において、下方に折曲された状態で、上記リブ部１６に対し固定されている。
【００４０】
図１、図２に示すように、上記陳列台部１２及び上記上方陳列台部１３の両側方には、上記展示台１０の折畳みを防止しうる係合爪部４３ａ，４３ｂ及び４４ａ，４４ｂが夫々設けられている。
上記陳列台部１２の両側方に設けられた上記係合爪部４３ａ，４３ｂは、上記側方壁板部２４ａ，２４ｂ間及び上記側方壁板部２４ｃ，２４ｄ間において、横方向に設けられた２本の切込み線５４ａ，５４ｂ，５５ａ，５５ｂにより形成されている。
上記上方陳列台部１３の両側方に設けられた上記係合爪部４４ａ，４４ｂは、上記係合爪４３ａ，４３ｂと同様に、上記側方壁板部２６ａ，２６ｂ間及び上記側方壁板部２６ｃ，２６ｄ間において、横方向に設けられた２本の切込み線５６ａ，５６ｂ，５７ａ，５７ｂにより形成されている。
【００４１】
図２に示すように、上記リブ部１６の側方には、上記係合爪部４３ａ，４３ｂ及び４４ａ，４４ｂに係合しうる係合凹部４５ａ，４５ｂ及び４６ａ，４６ｂが設けられている。上記係合凹部４５ａ，４５ｂ及び４６ａ，４６ｂは、上記展示台１０を設置面１１に設置させた状態において、上記リブ部１６の両側方位置において、上記係合爪部４３ａ，４３ｂ及び４４ａ，４４ｂと同高さ寸法位置に形成されている。
上記係合凹部４５ａ，４５ｂ，４６ａ，４６ｂは、略四角形状の切欠により形成され、上記係合爪部４３ａ，４３ｂ，４４ａ，４４ｂが外方より指等で押圧されることにより、夫々上記陳列台部１２及び上記上方陳列台部１３内方に押圧され、図１に示すように上記係合爪部４３ａ，４３ｂ，４４ａ，４４ｂが上記陳列台部１２及び上記上方陳列台部１３内方に凸状をなし、上記係合凹部４５ａ，４５ｂ，４６ａ，４６ｂと係合されることにより、上記リブ部１６の上下方向への移動が抑止され、上記展示台１０の折畳みを防止することができる。
【００４２】
図５は本発明にかかる第二の実施例を示す。本発明にかかる展示台１０は図５に示すように、上記陳列台部４８の上方に上方陳列台部４９ａ，４９ｂが２段延設されてもよい。
上記上方陳列台部４９ａ，４９ｂは、上記陳列台部４８の上方に延設された柱状支柱部５０ａ，５０ｂにより支持されている。
上記陳列台部４８及び上記上方陳列台部４９ａ，４９ｂの内方において、上記陳列台部４８及び上記上方陳列台部４９ａ，４９ｂ幅方向に沿って、リブ部５１が設けられている。
上記陳列台部４８の上部には、陳列面部５２が設けられ、上記上方陳列台部４９ａ，４９ｂの上部には、陳列面部５３ａ，５３ｂが夫々設けられている。
上記陳列面部５２，５３ａ，５３ｂは夫々上記リブ部５１に対し折曲可能に係合され、上記陳列面部５３ｂを上方に持ち上げることにより、上記リブ部５１を介して、上記陳列面部５２，５３ａ，５３ｂが上方へ折曲され、上記展示台１０が折り畳まれる。
【００４３】
以下、添付図面に示す実施例に基づき、本発明に係る展示台１０の作用について詳細に説明する。
上記展示台１０は、図１に示すように、設置面１１に設置された陳列台部１２上に物品を陳列することができるとともに、上記陳列台部１２上方に延設された上方陳列台部１３上においても物品を陳列することができる。
本展示台１０は、展示場やスーパー等売り場などにおいて、上記展示台１０上に商品等物品が陳列されることにより、商品等閲覧者に対し展示物のアピール効果の高い展示台１０として用いられる。
【００４４】
また、未使用時においては、図２に示すように、展示台１０を上方に沿って折り畳むことにより、コンパクトに収納することができ、複数の展示台１０を持ち運ぶのにも便利である。
上記展示台１０の折畳みは、図１に示すように、利用者が上記陳列面部３１中央に設けられた孔部３７に指等を挿入し、上記陳列面部３１に指を係合させた状態で上方に持ち上げることにより、図２に示すように、上記陳列面部３１は上記対角線３６を中心に上方へ折曲されている。
図１に示すように、上記上方陳列台部１３の上記対角線３６には、リブ部１６が形成されていることから、上記陳列面部３１が上方に持ち上げられることにより、上記リブ部１６も上方へ持ち上げられると共に、上記リブ部１６を介して上記リブ部１６に折曲可能に係合された陳列台部１２の陳列面部１７及び、上記支持板部１９が上方へ折曲されている。
【００４５】
図４に示すように、上記陳列面部１７は、上方へ折曲可能な接合片部２９ａ，２９ｂにより上記リブ部１６に対し接合されているため、上記リブ部１６が上方へ折曲されることにより、上記陳列面部１７上に設けられた対角線３７を中心に上方へ折曲されている。
上記支持板部１９は、上方へ折曲可能な接合片部４１ａ，４１ｂにより上記リブ部１６に対し接合されているため、上記リブ部１６が上方へ折曲されることにより、上記接合片部４１ａ，４１ｂと上記リブ部１６の接合部が上方へ折曲されている。
【００４６】
上記陳列面部３１，１７及び上記支持板部１９が上方に支持されることにより、上記陳列面部３１，１７及び上記支持板部１９は上方へ折曲され、図４に示すように、上記陳列面部３１，１７及び上記支持板部１９の接合辺部３３ａ，３３ｂ，２８ａ，２８ｂ及び接合片部４０ａ，４０ｂにより係合された上記一対の壁板部２３ａ、２３ｂ及び壁板部２５ａ，２５ｂが夫々引張されることにより、図２に示すように上記壁板部２３ａ、２３ｂ及び壁板部２５ａ，２５ｂは扁平状に折曲され、上記展示台１０は折り畳まれる。
【００４７】
図１に示すように、上記陳列台部１２及び上記上方陳列台部１３側方に設けられた係合爪部４３ａ，４３ｂ及び４４ａ，４４ｂを指等により外方より押圧することにより、夫々上記陳列台部１２及び上記上方陳列台部１３が内方に押圧され、上記係合爪部４３ａ，４３ｂ及び４４ａ，４４ｂは内方に凸状となし、上記内方に対し凸状が形成された上記係合爪部４３ａ，４３ｂ及び４４ａ，４４ｂが上記リブ部１６に設けられた上記係合凹部４５ａ，４５ｂ及び４６ａ，４６ｂに夫々係合されることにより、上記リブ部１６の上方への移動が抑止され、上記展示台１０が折り畳まれるのを防止することができる。
【００４８】
また、上記展示台１０の未使用時においては、上記係合爪部４３ａ，４３ｂ及び４４ａ，４４ｂを外方へ押圧することにより、上記係合爪部４３ａ，４３ｂ及び４４ａ，４４ｂと、上記係合凹部４５ａ，４５ｂ及び４６ａ，４６ｂとの係合が解除され、上記リブ部１６が上方への移動が可能となり、上記展示台１０を折り畳むことが可能となる。
【産業上の利用可能性】
【００４９】
本件発明は、陳列台部及び陳列台部上方に延設された上方陳列台部に物品を陳列することができるとともに、未使用時においては、上下方向に沿って折畳み可能に形成された展示台に適用できるものである。
【図面の簡単な説明】
【００５０】
【図１】図１は、本発明に係る展示台の一実施例を示す全体斜視図である。
【図２】図２は、本発明に係る展示台の折畳み状態を示す斜視図である。
【図３】図３は、本発明に係る展示台の一実施例を示す下方斜視図である。
【図４】図４は、本発明に係る展示台の一実施例を示す全体を透視した斜視図である。
【図５】図５は、本発明に係る展示台の他の実施例に係り、上方陳列台部を２段にした状態を示す斜視図である。
【符号の説明】
【００５１】
１０    展示台
１１    設置面
１２    陳列台部
１３    上方陳列台部
１４ａ，１４ｂ，１４ｃ，１４ｄ    柱状支持部
１５    貫通部
１６    リブ部
１７    陳列面部
１８    下部
１９    支持板部
２０ａ，２０ｂ    折曲板部
２３ａ，２３ｂ    壁板部
２４ａ，２４ｂ，２４ｃ，２４ｄ    側方壁板部
２５ａ，２５ｂ    壁板部
２６ａ、２６ｂ，２６ｃ，２６ｄ    側方壁板部
２７ａ，２７ｂ    凸辺部
２８ａ，２８ｂ    接合片部
２９ａ，２９ｂ    接合片部
３０    側壁部
３１    陳列面部
３２ａ，３２ｂ    折曲板部
３３ａ，３３ｂ    接合片部
３４    側壁部
３５    対角線
３６    対角線
３７    孔部
３９ａ，３９ｂ    折曲板部
４０ａ，４０ｂ    接合片部
４１ａ，４１ｂ    接合片部
４２    空隙部
４３ａ，４３ｂ    係合爪部
４４ａ，４４ｂ    係合爪部
４５ａ，４５ｂ    係合凹部
４６ａ，４６ｂ    係合凹部
４８    陳列台部
４９ａ，４９ｂ    上方陳列台部
５０ａ，５０ｂ    柱状支柱部
５１    リブ部
５２    陳列面部
５３ａ，５３ｂ    陳列面部
５４ａ，５４ｂ    切り込み線
５５ａ，５５ｂ    切り込み線
５６ａ，５６ｂ    切り込み線
５７ａ，５７ｂ    切り込み線
【図１】
2006095228.tif 000003
【図２】
2006095228.tif 000004
【図３】
2006095228.tif 000005
【図４】
2006095228.tif 000006
【図５】
2006095228.tif 000007